(57)【要約】【課題】簡素化され、高速かつ効率的な収集密封装置を提供し、利便性を増進すること。【解決手段】本発明の収集密封装置及び該収集密封装置に基づいた卓上収集設備は、該収集密封装置が輸送部と、供給部と、押圧手段の設計と配置により、該輸送部に格納された第１パッケージユニットと、該供給部に格納された第２パッケージユニットを、該押圧手段の押圧により相互に近づけ、該第２パッケージユニットの積載面上の被収集物を簡単に単一の収集パッケージシートとしてパッケージすることができ、生活、医療、在宅介護、ペットの世話等の用途で収集と密封の手順を簡素化し、利便性を増進する。【選択図】図１
2019018922.tif 000002
【特許請求の範囲】
【請求項１】
収集密封装置であって、積載エリアと、輸送部と、供給部と、押圧手段と、を含み、
該積載エリアが、少なくとも１つの被収集物を置くために用いる区域であり、
該輸送部が、該積載エリアの一側に設置され、第１パッケージユニットを格納するために用いられ、該第１パッケージユニットが粘着面を備え、
該供給部が、該積載エリアの他方の一側に設置され、第２パッケージユニットを格納するために用いられ、該第２パッケージユニットを引き出して該積載エリアに横架させることができ、引き出された該第２パッケージユニットの上面が該積載エリアにおいて該少なくとも１つの被収集物を置くために用いられる積載面を形成し、
該押圧手段が、引き出された後の該第１パッケージユニット及び該第２パッケージユニットを受け取り、該第１パッケージユニットの該粘着面が該第２パッケージユニットの該上面に対面し、該第１パッケージユニット及び該第２パッケージユニットがさらに引っ張り動かされたとき、該第１パッケージユニットの粘着面と該第２パッケージユニットの該上面を相互に接着する押圧力を提供し、該押圧手段が同時に該積載面上に置かれた該少なくとも１つの被収集物に押圧力を提供して、該積載エリア内に置かれた該少なくとも１つの被収集物を該押圧手段に通過させた後、１つの収集パッケージシートとしてパッケージする、
ことを特徴とする、収集密封装置。
【請求項２】
さらに前記押圧手段の後に設置された切断部を含み、該切断部を操作して該押圧手段を通過した後に形成された該第１パッケージユニットと該第２パッケージユニットを相互に接着した該収集パッケージシートを切断し、該収集パッケージシートと該第１パッケージユニット及び該第２パッケージユニットを分離することを特徴とする、請求項１に記載の収集密封装置。
【請求項３】
前記輸送部が該第１パッケージユニットの格納に用いる第１ローラーを含み、該供給部が該第２パッケージユニットの格納に用いる第２ローラーを含み、該第１パッケージユニットが該第１ローラーに巻回されて該輸送部に格納され、該第２パッケージユニットが該第２ローラーに巻回されて該供給部に格納される、ことを特徴とする、請求項２に記載の収集密封装置。
【請求項４】
前記供給部が位置決めローラーを含み、引き出された後の該第２パッケージユニットが該位置決めローラーにより支持されて向きが変えられ、該積載エリアに横架される、ことを特徴とする、請求項２に記載の収集密封装置。
【請求項５】
前記押圧手段が２つの押圧ユニットにより提供され、各該押圧ユニットがローラーまたは支持部材とすることができることを特徴とする、請求項２に記載の収集密封装置。
【請求項６】
前記２つの押圧ユニットが、１つの支持部材と１つの弾性ローラーの組み合わせであり、該弾性ローラーが弾性材質の被覆材で覆われ、該弾性ローラーの支持によって該第１パッケージユニットの該輸送部から出力された後の移動方向が変わり、該弾性ローラーに相隣する該支持部材が支持のために用いられ、該弾性ローラーと該支持部材の間にプレス間隙が形成され、引き出された後の該第１パッケージユニット及び該第２パッケージユニットを受け取り、該プレス間隙施により該押圧力が加えられる、ことを特徴とする、請求項５に記載の収集密封装置。
【請求項７】
前記２つの押圧ユニットが、１つの支持部材と１つのローラーの組み合わせであり、該第１パッケージユニットが該ローラーの支持によって該輸送部から出力された後の移動方向が変わり、該ローラーに相隣する該支持部材が支持のために用いられ、該ローラーと該支持部材の間にプレス間隙が形成され、引き出された後の該第１パッケージユニット及び該第２パッケージユニットを受け取り、該プレス間隙により該押圧力が加えられ、該支持部材が底板であり、該底板が該輸送部の下方から横方向に延伸されて該積載エリアに横架され、該積載エリア下方に位置する該底板が同時に該第２パッケージユニットに支持を提供する、ことを特徴とする、請求項５に記載の収集密封装置。
【請求項８】
前記底板の一端縁に挟持部材が設置され、該挟持部材が押圧を経た該収集パッケージシートに挟持力を提供し、該底板が引っ張られて動かされたとき該第１パッケージユニット及び該第２パッケージユニットを同期して動かすことを特徴とする、請求項７に記載の収集密封装置。
【請求項９】
前記輸送部が、該第１パッケージユニットの格納に用いる第１ローラーを含み、該第１パッケージユニットが該第１ローラーに巻回されて該輸送部に格納され、該２つの押圧ユニットのうち１つが該第１ローラーと伸縮制御部材の組み合わせであり、該２つの押圧ユニットのもう１つが支持部材であり、該伸縮制御部材が該第１ローラーの軸心両端を弾性的に押さえ、該第１ローラーを常態的に該積載面に接近させ、該第１ローラーと該支持部材の間にプレス間隙が形成され、引き出された後の該第１パッケージユニットと該第２パッケージユニットを受け取り、該プレス間隙により該押圧力が加えられる、ことを特徴とする、請求項５に記載の収集密封装置。
【請求項１０】
前記第１パッケージユニットが巻き取り可能なシート材であり、かつ該第１パッケージユニットの粘着面の相対面上に離型フィルム層を備えていることを特徴とする、請求項１乃至９のいずれかに記載の収集密封装置。
【請求項１１】
前記第２パッケージユニットが吸水層と漏れ防止層を重ね合わせて形成された複合シート体を含み、該吸水層が該第２パッケージユニットの頂部に位置し、該積載面となることを特徴とする、請求項１０に記載の収集密封装置。
【請求項１２】
前記第１パッケージユニットの一側面が全面的に粘着性を備え、該粘着面を形成することを特徴とする、請求項１０に記載の収集密封装置。
【請求項１３】
さらに底板を含み、該底板が引っ張って該積載エリアに平行な方向に移動でき、該底板が該積載エリアを越えて該第２パッケージユニットの下方まで引っ張られ、該底板の該輸送部に近い側の辺縁に挟持部が設置され、該挟持部が該収集パッケージシートと該底板を一緒に挟持するために用いられ、それにより該底板が引っ張られて該輸送部から遠ざかるとき、該第１パッケージユニットと該第２パッケージユニットを同時に引っ張り動かすことができることを特徴とする、請求項１１に記載の収集密封装置。
【請求項１４】
収集密封装置であって、輸送部と、供給部と、押圧部と、を含み、
該輸送部が第１パッケージユニットの格納に用いられ、該第１パッケージユニットがパッケージ面を備え、
該供給部が第２パッケージユニットの格納に用いられ、該第２パッケージユニットが該供給部から引き出された後、一部の該第２パッケージユニットの上面が少なくとも１つの被収集物を置くための積載面として用いられ、
該押圧部が、該第１パッケージユニットと該第２パッケージユニットを受け取り、該第１パッケージユニットの該パッケージ面と該第２パッケージユニットの該上面を相互に閉じ合わせるための押圧力を提供し、該押圧部が同時に該積載面上に置かれた該少なくとも１つの被収集物に押圧力を提供して、置かれた該少なくとも１つの被収集物が該押圧部を通過した後、１つの収集パッケージシートとして密閉される、
ことを特徴とする、収集密封装置。
【請求項１５】
さらに、該押圧部の後に設置された切断部を含み、該切断部を操作して該収集パッケージシートを切断し、該収集パッケージシートと該第１パッケージユニット及び該第２パッケージユニットを分離させることを特徴とする、請求項１４に記載の収集密封装置。
【請求項１６】
さらに、駆動モーターと、制御部を含み、
該駆動モーターが、制御信号に基づき対応して該押圧部と該切断部のうち少なくとも１つを駆動し、該第１パッケージユニット及び該第２パッケージユニットを引き出させ、
該制御部が該駆動モーターに接続され、コマンドに基づき該駆動モーターを作動させ、該第１パッケージユニット及び該第２パッケージユニットを引き出し、そのうち、該コマンドが、外部操作コマンド、検出結果コマンド、または定時コマンドを含む、
ことを特徴とする、請求項１５に記載の収集密封装置。
【請求項１７】
卓上収集設備であって、請求項１から１６のいずれかに記載の収集密封装置と、ラック体を含み、該ラック体が、該収集密封装置を取り付けるために用いられ、該積載エリアを定義する開口を備え、該開口内に露出された該第２パッケージユニットの該積載面と該開口周囲が卓上面を形成し、該卓上面上の該積載エリア範囲内の区域に対して被収集物の収集と密封を行うことを特徴とする、卓上収集設備。
【発明の詳細な説明】
【技術分野】
【０００１】
本発明は、固体／液体／半固体を迅速に収集して密閉できる、収集密封装置に関する。
【背景技術】
【０００２】
日常生活の中で、人々は物品の集中、収集、密封保存の大部分を手作業で手動処理している。
【０００３】
例えば、一般的な卓上や台上の物品の清掃、汚物の清掃等、すべて手作業により手動で処理されている。さらに例を挙げると、排泄物の清掃処理、例えばペットの排泄物の清掃も、飼い主が自ら固定位置に置かれたペット用トイレや猫砂等を清掃しなければならず、排泄物は通常液体に半固体が混ざった状態であるため、トイレの交換と洗浄も必要となる。排泄物を適時に清掃しないと居住環境に異臭が充満し、衛生と居住品質に影響する恐れがある。また、例えば作業台の台面設備上の物品や廃棄物の清掃はいずれも手作業で廃棄物を集めて除去しなければならず、時間がかかり、利便性に優れない。さらに、例えば幼児用のテーブル面やその他子供が使用するテーブル面等は、汚れたテーブル面に触れたり、汚れたテーブル面上の物体を食用したりして、テーブル面上の病原菌が口から体内に入ることを回避するために、通常幼児用のテーブル面やその他子供用のテーブル面等は、殺菌されたウェットティッシュで拭いてから、幼児に接触させるが、これは手間と時間がかかるだけでなく、必ずしもきれいに拭けるとは限らない。
【０００４】
効率と速度、或いは利便性を高めるために、いくつかの電動製品（電動ゴミ箱、電動掃除機等）が生み出されているが、それらは自動化の利便性を備えているものの、電動化を実現するために、内部構造の設計が不十分なために往々にして製品内部の電子部品数が多く、複雑になっており、加えて定期的な保守が必要な部分が多すぎてコストと販売価格が高く、さらに電源接続またはバッテリー設置が必要なため、安全性の憂慮も存在する。
【発明の概要】
【発明が解決しようとする課題】
【０００５】
本発明の目的は、簡素化され、高速かつ効率的な収集密封装置を提供し、利便性を増進することにある。
【課題を解決するための手段】
【０００６】
上述の目的及びその他の目的を達するため、本発明の収集密封装置は、積載エリアと、輸送部と、供給部と、押圧手段を含む。該積載エリアは少なくとも１つの被収集物を置くためのエリアである。該輸送部は該積載エリアの一側に設置され、第１パッケージユニットの格納に用いられ、該第１パッケージユニットが粘着面を備えている。該供給部は該積載エリアの別の一側に設置され、第２パッケージユニットの格納に用いられ、該第２パッケージユニットは引き出して該積載エリアに横架させることができ、引き出された該第２パッケージユニットの上面が該積載エリアにおいて該少なくとも１つの被収集物を置くための積載面を形成する。該押圧手段は引き出された後の該第１パッケージユニット及び該第２パッケージユニットを受け取るために用いられ、該第１パッケージユニットの該粘着面が該第２パッケージユニットの該上面に対面し、該第１パッケージユニットと該第２パッケージユニットがさらに引き出されたとき、該第１パッケージユニットの粘着面と該第２パッケージユニットの該上面を相互に貼合させる押圧力を提供し、該積載エリア内に置かれた該少なくとも１つの被収集物を該押圧手段に通過させた後、１つの収集パッケージシートとしてパッケージすることができる。
【０００７】
本発明の一実施例において、さらに該押圧手段の後に設置された切断部を含んでもよく、該切断部を操作して該収集パッケージシートを切断し、該収集パッケージシートと該第１パッケージユニット及び該第２パッケージユニットを分離させるために用いることができる。
【０００８】
本発明の一実施例において、該輸送部は該第１パッケージユニットの格納に用いる第１ローラーを含んでもよく、該供給部は該第２パッケージユニットの格納に用いる第２ローラーを含み、該第１パッケージユニットが該第１ローラーに巻回されて該輸送部に格納され、該第２パッケージユニットが該第２ローラーに巻回されて該供給部に格納される。
【０００９】
本発明の一実施例において、該供給部は位置決めローラーを含んでもよく、引き出された後の該第２パッケージユニットが該位置決めローラーにより支持されて向きが変えられ、かつ該積載エリアに横架される。
【００１０】
本発明の一実施例において、該押圧手段は２つの押圧ユニットにより提供されてもよく、各該押圧ユニットはローラーまたは支持部材とすることができる。
【００１１】
本発明の一実施例において、該２つの押圧ユニットは、１つの支持部材と１つの弾性ローラーの組み合わせとしてもよく、該弾性ローラーは弾性材質の被覆材で覆われ、該弾性ローラーの支持によって該第１パッケージユニットが該輸送部から出力された後の移動方向が変わり、該弾性ローラーに相隣する該支持部材が支持のために用いられ、該弾性ローラーと該支持部材の間にプレス間隙が形成され、引き出された後の該第１パッケージユニット及び該第２パッケージユニットを受け取り、該プレス間隙により該押圧力が加えられる。
【００１２】
本発明の一実施例において、該２つの押圧ユニットは１つの支持部材と１つのローラーの組み合わせとしてもよく、該第１パッケージユニットが該ローラーの支持によって該輸送部から出力された後の移動方向が変わり、該ローラーに相隣する該支持部材が支持のために用いられ、該ローラーと該支持部材の間にプレス間隙が形成され、引き出された後の該第１パッケージユニット及び該第２パッケージユニットを受け取り、該プレス間隙により該押圧力が加えられる。該支持部材は底板であり、該底板が該輸送部の下方から横方向に延伸されて該積載エリアに横架され、該積載エリア下方に位置する該底板が同時に該第２パッケージユニットに支持を提供する。さらに、該底板の一端縁に挟持部材を設置してもよく、該挟持部材は押圧を経た該収集パッケージシートに挟持力を提供し、該底板が引っ張られて動かされたとき該第１パッケージユニット及び該第２パッケージユニットを同期して動かすことができる。
【００１３】
本発明の一実施例において、該輸送部は該第１パッケージユニットの格納に用いる第１ローラーを含み、該第１パッケージユニットは該第１ローラーに巻回されて該輸送部に格納され、該２つの押圧ユニットのうち１つが該第１ローラーと伸縮制御部材の組み合わせであり、該２つの押圧ユニットのもう１つが支持部材であり、該伸縮制御部材が該第１ローラーの軸心両端を弾性的に押さえ、該第１ローラーを常態的に該積載面に接近させ、該第１ローラーと該支持部材の間にプレス間隙が形成され、引き出された後の該第１パッケージユニットと該第２パッケージユニットを受け取り、該プレス間隙により該押圧力が加えられる。
【００１４】
本発明の一実施例において、該第１パッケージユニットは巻き取り可能なシート材であり、かつ該第１パッケージユニットの粘着面の相対面上に離型フィルム層を備えている。
【００１５】
本発明の一実施例において、該第２パッケージユニットは吸水層と漏れ防止層を重ね合わせて形成された複合シート体を含むことができ、該吸水層が該第２パッケージユニットの頂部に位置し、該積載面となる。
【００１６】
本発明の一実施例において、該第１パッケージユニットの一側面は全面的に粘着性を備え、該粘着面を形成する。
【００１７】
本発明の一実施例において、さらに底板を含み、該底板は引っ張って該積載エリアに平行な方向に移動でき、該底板が該積載エリアを越えて該第２パッケージユニットの下方まで引っ張られ、該底板の該輸送部に近い側の辺縁に挟持部が設置され、該第１パッケージユニットと該第２パッケージユニットが該押圧手段を経た後相互に貼合された１つの収集パッケージシートを形成し、該挟持部は該収集パッケージシートと該底板を一緒に挟持するために用いられ、それにより該底板が引っ張られて該輸送部から遠ざかるとき、該第１パッケージユニットと該第２パッケージユニットを同時に引っ張り動かすことができる。
【００１８】
上述の目的及びその他の目的を達するため、本発明がさらに提供する収集密封装置は、輸送部と、供給部と、押圧部を含む。該輸送部は第１パッケージユニットの格納に用いられ、該第１パッケージユニットがパッケージ面を備えている。該供給部は第２パッケージユニットの格納に用いられ、該第２パッケージユニットが該供給部から引き出された後、一部の該第２パッケージユニットの上面が被積載物を収集するために用いられる積載面となる。該押圧部は該第１パッケージユニット及び該第２パッケージユニットを受け取るために用いられ、該押圧部が該第１パッケージユニットの該パッケージ面と該第２パッケージユニットの該上面を相互に閉じ合わせる押圧力を提供し、該押圧部が同時に該積載面上に置かれた該少なくとも１つの被収集物に押圧力を提供し、置かれた該少なくとも１つの被収集物を該押圧部に通過させた後、１つの収集パッケージシートとしてパッケージする。さらに、該収集密封装置は該押圧部の後に設置された切断部を含み、該切断部を操作して該収集パッケージシートを切断し、該収集パッケージシートと該第１パッケージユニット及び該第２パッケージユニットを分離させる。
【００１９】
本発明の一実施例において、さらに、駆動モーターと、制御部を含む。該駆動モーターは制御信号に基づき該押圧部及び該切断部のうち少なくとも１つを対応して駆動し、該第１パッケージユニット及び該第２パッケージユニットを引き出すために配置される。該制御部は該駆動モーターに接続され、コマンドに基づき該駆動モーターを作動させ、該第１パッケージユニット及び該第２パッケージユニットを引き出す。そのうち、該コマンドは外部操作コマンド、検出結果コマンド、または定時コマンドを含む。
【００２０】
上述の目的及びその他の目的を達するため、本発明がさらに提供する卓上収集設備は、前述の収集密封装置とラック体を含み、該ラック体は該収集密封装置を取り付けるために用いられ、該ラック体は該積載エリアを定義する開口を備え、該開口内に露出された該第２パッケージユニットの該積載面と該開口周囲が卓上面を形成し、該卓上面上の該積載エリア範囲内の区域に対して被収集物の収集と密封を行う。そのうち、該卓上収集設備とはその他の設備、装置または任意の物件上に架設される設備を指し、収集と密封の機能を適した場所に応用できるようにする。例えばペットの排泄物収集の応用、乳幼児のテーブル上の片付けの応用、医療の介護ベッド上の排泄物収集の応用、医療の手術台上の関連廃棄物収集の応用、在宅介護設備の関連排泄物収集の応用、乳幼児学習用トイレの排泄物収集の応用などが想定される。
【００２１】
これに基づき、本発明の実施例は、収集密封装置の構成部材と運用方式等の技術的特徴を例示し、生活、医療、在宅介護、ペットの世話等の用途における収集と密封の手順を簡素化するとともに、より迅速かつ効率的にすることでスマートライフにより多くの恩恵をもたらすことを示す。
【図面の簡単な説明】
【００２２】
【図１】本発明の実施例１の収集密封装置の概略図である。
【図２】本発明の収集密封装置中の輸送部の第１態様を示す概略図である。
【図３】本発明の収集密封装置中の輸送部の第２態様を示す概略図である。
【図４】本発明の収集密封装置中の輸送部の第３態様を示す概略図である。
【図５】本発明の収集密封装置中の押圧手段の第１態様を示す概略図である。
【図６】本発明の収集密封装置中の押圧手段の第２態様を示す概略図である。
【図７】本発明の収集密封装置中の押圧手段の第３態様を示す概略図である。
【図８】本発明の収集密封装置中の押圧手段の第４態様を示す概略図である。
【図９】本発明の収集密封装置中の押圧手段の第５態様を示す概略図である。
【図１０】本発明の収集密封装置中の押圧手段の第６態様を示す概略図である。
【図１１】本発明の実施例２の収集密封装置の概略図である。
【図１２】本発明の収集密封装置中の輸送部の第４態様を示す概略図である。
【図１３】本発明の実施例３の収集密封装置の立体図である。
【図１４】本発明の実施例のローラーの配置関係を示す立体図である。
【図１５】本発明の収集密封装置中の切断部の別の態様を示す立体図である。
【図１６】本発明の収集密封装置中の切断部のさらに別の態様を示す立体図である。
【図１７】本発明の実施例４の収集密封装置の立体図である。
【図１８】本発明の実施例５の収集密封装置の立体図である。
【図１９】本発明の実施例６の収集密封装置の立体図である。
【図２０】本発明の実施例６の収集密封装置の上部立体図である。
【図２１】本発明の収集密封装置のブロック図である。
【発明を実施するための形態】
【００２３】
本発明の目的、特徴、効果について充分に理解できるように、以下で具体的な実施例に添付の図面を組み合わせ、本発明について詳細に説明する。このほか、本文中の用語「含む」、「含有する」、「備える」またはその他あらゆる類似の用語は、非排他的な包括物を含むことを指す。例えば、複数の要件を含む部材または構造は本文に記載されたそれら要件のみに限られず、明確に記載されていないものの該ユニット、部材、部位または構造に通常固有のその他要件を含むことができる。
【実施例１】
【００２４】
図１に本発明の実施例１の収集密封装置の概略図を示す。該収集密封装置は、輸送部１００と、供給部２００と、押圧手段ＦＰと、積載エリアＡを含む。該積載エリアＡは収集してパッケージする固体、液体、半固体またはその他物質を積載する区域であり、該輸送部１００と該供給部２００の配置により、該積載エリアＡを定義することができる。例えば、図１に示す実施例では、該積載エリアＡは該輸送部１００と該供給部２００の間として定義されるが、これに限らず、その他の実施例では該積載エリアＡを別の場所に定義してもよい。
【００２５】
図１に示す実施例では、該輸送部１００が該積載エリアＡの一側に設置され、相対して該積載エリアＡの他方の一側に該供給部２００が設置されている。該輸送部１００は第１パッケージユニット１１０を格納することができ、該供給部２００は第２パッケージユニット２１０を格納することができる。該供給部２００に格納された該第２パッケージユニット２１０は、該輸送部１００の方向に引き出すことができ、引き出した該第２パッケージユニット２１０を該積載エリアＡに横架させることができる。そのうち、該積載エリアＡの範囲内において、この範囲内に位置する該第２パッケージユニット２１０を積載体とし、この範囲内に位置する該第２パッケージユニット２１０の上面が積載面を形成する。
【００２６】
つまり該積載体の積載面は該積載エリアＡ内で固体、液体、半固体またはその他物質物を積載する１つの面として用いられ、該積載面を形成する積載体が該積載エリアＡまで引き出されて延伸された該第２パッケージユニット２１０である。該第１パッケージユニット１１０の一表面が該第２パッケージユニット２１０の該上面に対面する１つの面として用いられ、該面はパッケージ面と呼ぶことができ、該パッケージ面を後続のパッケージプロセスに提供し、収集したい固体、液体、半固体またはその他物質を該第１パッケージユニット１１０と該第２パッケージユニット２１０の間にパッケージすることができる。該第１パッケージユニット１１０のパッケージ面と該第２パッケージユニット２１０の該上面は、粘着、熱接着、またはその他の方式で共にパッケージすることができ、被積載物を該第１パッケージユニット１１０と該第２パッケージユニット２１０の間に制限することができる。ここでいうパッケージとは、パッケージユニットの全面すべてが密封される、またはパッケージユニットの四周のみが密封される、或いはパッケージユニットの一部辺縁のみが密封されるものとすることができる。一実施態様において、該第１パッケージユニット１１０のパッケージ面も粘着面としてもよい。該第１パッケージユニット１１０のパッケージ面とする粘着面は、全面すべてに接着剤を塗布する、辺縁のみに接着剤を塗布する、或いはその他該第１パッケージユニット１１０の該表面上に粘着性を具備させる方法で來配置でき、該第１パッケージユニット１１０と該第２パッケージユニット２１０間を緊密に寄せ合わせ、被積載物を該第１パッケージユニット１１０と該第２パッケージユニット２１０の間に制限できるようにする。そのうち、熱接着は加熱機能を備えた押圧手段で達成することもできる。
【００２７】
該輸送部１００と該供給部２００内で、パッケージユニットは重ねて積層した連続堆積方式で内部に格納できる。続いて該供給部２００を例として説明する。図２に本発明の収集密封装置中の供給部２００の第１態様の概略図を示す。該供給部２００はハウジング２０１を備え、該第２パッケージユニット２１０は水平に重ねて積層した連続堆積方式で該ハウジング２０１内に格納される。また、同様に該供給部２００を例として説明すると、図３の供給部２００の第２態様の概略図に示すように、該供給部２００はハウジング２０１と、支持ユニット２０２を備え、該第２パッケージユニット２１０は垂直に重ねて積層した連続堆積方式で該ハウジング２０１内に格納され、該第２パッケージユニット２１０は該支持ユニット２０２の支持により、残量の減少に伴い該ハウジング２０１の出口方向へと押され、該第２パッケージユニット２１０をより有利に引き出すことができる。当然、該支持ユニット２０２は省略してもよい。またさらに、ローラーの設置により、パッケージユニットをローラー上に巻回して該輸送部１００または該供給部２００内に格納し、図４の供給部２００の第３態様の概略図に示すように、同様に該供給部２００を例として説明すると、該供給部２００は第２ローラー２０３を含み、第２パッケージユニット２１０が該第２ローラー２０３上に巻回されて該供給部２００内に格納される。
【００２８】
押圧手段ＦＰは該第１パッケージユニット１１０及び該第２パッケージユニット２１０を受け取った後、該第１パッケージユニット１１０及び該第２パッケージユニット２１０のさらなる引き出し（手動または電動による引き出しを含む）に伴い、該第１パッケージユニット１１０及び該第２パッケージユニット２１０を該押圧手段ＦＰに通過させ、該押圧手段ＦＰが該第１パッケージユニット１１０の粘着面と該第２パッケージユニット２１０の該上面を相互に閉じ合わせる押圧力を提供することができる。接着の態様については、該第１パッケージユニット１１０の該粘着面が該第２パッケージユニット２１０の該上面に対面する。該第２パッケージユニット２１０の該上面に収集したい固体、液体、半固体またはその他物質が積載されており、該第１パッケージユニット１１０の該粘着面が粘着性を備えているため、該押圧手段ＦＰが加える押圧力で該第１パッケージユニット１１０と該第２パッケージユニット２１０を緊密に閉じ合わせて接着し、１つの収集パッケージシートとして、収集したい固体、液体、半固体またはその他物質を該収集パッケージシート内、即ち、該第１パッケージユニット１１０と該第２パッケージユニット２１０の間に被覆できる。該押圧手段ＦＰは押圧力を加える過程で、該第１パッケージユニット１１０と該第２パッケージユニット２１０の間に被覆された収集したい固体、液体、半固体またはその他物質を押圧された後の区域内に平均的に分布させることもできる。
【００２９】
該押圧手段ＦＰは該輸送部１００と該供給部２００から独立し、別途設置された部材で提供することができる。また、該押圧手段ＦＰは該輸送部１００内の一部部材と別途設置された部材の組み合わせにより、共同で動作して該押圧手段ＦＰを提供することもできる。この態様において、該輸送部１００内の一部部材は本来輸送の用途を備えた部材に属し、追加で該押圧手段ＦＰを達成するために用いる機能を提供する。またさらに、該押圧手段ＦＰは該収集密封装置内の本来その他の用途を備えた部材により別途該押圧手段ＦＰを提供することもでき、この態様において、該押圧手段ＦＰを提供する部材は該収集密封装置内において本来の機能を備えているほか、同時に追加で該押圧手段ＦＰの機能を達成する。
【００３０】
つまり、別途設置した部材または共用の部材のどちらを利用しても、実施例において、該押圧手段ＦＰは押圧ユニットの２つの部材として通過するパッケージユニットに対し該押圧力を発生する。このため、該押圧手段ＦＰは該第１パッケージユニット１１０及び該第２パッケージユニット２１０を２つの押圧ユニットの間に受け取らせ、かつ該第１パッケージユニット１１０と該第２パッケージユニット２１０がさらに移動されて該２つの押圧ユニットの間を通過するとき、該２つの押圧ユニットにより該押圧力を提供する。このほか、該２つの押圧ユニットを集合、一体成形、またはその他の統合方式により１セットの単一組立体とし、該単一組立体により該押圧手段ＦＰを提供してもよい。このほか、熱接着の態様において、該押圧手段ＦＰの押圧ユニットは発熱体を含んでもよく、押圧ユニットに熱源提供機能を具備させることができる。例えば押圧ユニット表面または内部に電熱片等を配置することができる。これに基づき、該押圧手段ＦＰで使用する部材を集合させて成る組み合わせも押圧部と呼ぶことができる。
【００３１】
押圧ユニットはローラー、支持部材等の部材とすることができ、２つの押圧ユニットの組み合わせは２つのローラーの組み合わせ、２つの支持部材の組み合わせ、またはローラー１つと支持部材１つの組み合わせとすることができる。例えば、該押圧手段ＦＰが１セットとして構成された単一組立体で提供される場合、該単一組立体は内部に、（１）２つのローラー、（２）２つの支持部材、または（３）ローラー１つと支持部材１つの組み合わせを含むことができる。そのうち、該ローラーは回動の機能を備え、パッケージユニットの輸送を助ける部材としてもよい。該２つの押圧ユニットの間にはプレス間隙が形成され、引き出された後の該第１パッケージユニット１１０及び該第２パッケージユニット２１０を受け取り、該プレス間隙により該押圧力を形成することができる。このほか、一例として、該押圧ユニットまたは押圧部は、該第１パッケージユニットと該第２パッケージユニットを横断して押圧力を加えることができ、例えば押圧手段ＦＰとするローラーの長さを該第１パッケージユニットまたは該第２パッケージユニットの幅とほぼ同じとし、第１パッケージユニットの粘着面をできる限り第２パッケージユニットの上面と相互に接着させる。
【００３２】
該ローラーの配置については、まず、該ローラーは該支持部材との組み合わせで、押圧が必要な方向に押圧力を提供することができる。さらに、該ローラーは弾性材質の被覆材に覆われた弾性ローラーとしてもよく、固定された軸位置と弾性材質の被覆材（例：シリコン、ゴム、スポンジ等の材料）により、該弾性ローラーに押圧が必要な方向に押圧力を提供させ、よりよい押圧力の制御を達成することができる。このほか、該ローラーの配置は、該ローラーの軸心両端に引っ張り移動させる力を提供するために用いる伸縮制御部材を別途枢設し、該ローラーに押圧方向に押圧する力を提供させ、弾性被覆材の押圧制御に類似した効果を達成することもできる。
【００３３】
さらに、該ローラーの配置は、該弾性ローラーを採用し、かつ該伸縮制御部材を組み合わせ、押圧する力に対してより多くの制御要素を提供することもでき、異なる使用環境下で異なる押圧力を設定することができる。例えば、１つ目の設定方法は該伸縮制御部材の伸縮性をオフにし、弾性被覆材の押圧制御効果のみを使用する。２つ目の設定方法は、該伸縮制御部材の伸縮性をオンにし、弾性被覆材を使用した押圧制御効果を組み合わせる。また、例えば、第１パッケージユニットの材質が伸縮性に富んでいる場合、２つ目の設定方法は体積が比較的大きい被積載物に対して第２パッケージユニットをより節約することができる。
【００３４】
該支持部材については、一般的な弾性機能のない支持部材のほか、前述の該ローラーの配置のように、次のいくつかの態様を含むことができる。（１）該支持部材のパッケージユニットに接触する押圧端上に弾性材質の端部を備えている（または該支持部材が弾性材質で成る）。（２）該支持部材の両端に引っ張り移動させる力を提供するために用いる伸縮制御部材を別途枢設する。（３）弾性材質の端部を備えた該支持部材を使用すると同時に、該支持部材の両端に引っ張り移動させる力を提供するために用いる伸縮制御部材を別途枢設する。そのうち、該伸縮制御部材は、例えばバネ、弾性片等の弾力を提供できる部材とすることができる。
【００３５】
続いて図５の本発明の収集密封装置中の押圧手段の第１態様を示す概略図を参照する。該押圧手段の第１態様において、２つの押圧ユニットは該輸送部１００と該供給部２００から独立し、別途設置された部材である。該押圧手段ＦＰはそれぞれ押圧ユニットの弾性ローラーＦＰ１１及び支持部材ＦＰ２１として押圧力を提供することができ、該第１パッケージユニット１１０は該弾性ローラーＦＰ１１の支持により該輸送部１００から出力された後の移動方向が変わり、かつ該弾性ローラーＦＰ１１下方に配置された該支持部材ＦＰ２１が支持を提供し、該押圧力が発生する。該弾性ローラーＦＰ１１は筒型ローラーであり、その周囲が弾性を備えた材質の被覆材で覆われている。このほか、押圧ユニットが弾性材質を含まないとき、該支持部材ＦＰ２１との間の距離の制御により既定の押圧力の設定を制御することができる。例えば、距離設定が狭いほど、押圧力が大きくなる。
【００３６】
続いて図６の本発明の収集密封装置中の押圧手段の第２態様を示す概略図を参照する。該押圧手段の第２態様において、２つの押圧ユニットは該輸送部１００と該供給部２００から独立し、別途設置された部材である。該押圧手段ＦＰはそれぞれ押圧ユニットの弾性ローラーＦＰ１１及び第２弾性ローラーＦＰ１２として押圧力を提供することができ、該第１パッケージユニット１１０は該弾性ローラーＦＰ１１の支持により該輸送部１００から出力された後の移動方向が変わり、かつ該弾性ローラーＦＰ１１下方に配置された該第２弾性ローラーＦＰ１２が支持を提供する。同様に、押圧ユニットが弾性材質を含まないとき、２つのローラー間の距離の制御により既定の押圧力の設定を制御することができる。
【００３７】
続いて図７の本発明の収集密封装置中の押圧手段の第３態様を示す概略図を参照する。該押圧手段の第２態様において、２つの押圧ユニットは該輸送部１００と該供給部２００から独立し、別途設置された部材である。該押圧手段ＦＰはそれぞれ押圧ユニットの弾性ローラーＦＰ１１及び第２弾性ローラーＦＰ１２として押圧力を提供することができ、該第１パッケージユニット１１０は該弾性ローラーＦＰ１１の支持により該輸送部１００から出力された後の移動方向が変わり、該第２パッケージユニット２１０は該弾性ローラーＦＰ１２の支持により該供給部２００から出力された後の移動方向が変わり、かつ該弾性ローラーＦＰ１１と該第２弾性ローラーＦＰ１２の緊密な隣接配置により通過するパッケージユニットに対して押圧力を提供する。同様に、押圧ユニットが弾性材質を含まないとき、２つのローラー間の距離の制御により既定の押圧力の設定を制御することができる。
【００３８】
続いて図８の本発明の収集密封装置中の押圧手段の第４態様を示す概略図を参照する。該押圧手段の第４態様において、２つの押圧ユニットは該輸送部１００と該供給部２００から独立し、別途設置された部材である。該押圧手段ＦＰはその１つの押圧ユニットとする弾性ローラーＦＰ１１と伸縮制御部材ＦＰ３１の組み合わせと、もう１つの押圧ユニットとする支持部材ＦＰ２１により、共同で該押圧力を提供する。該第１パッケージユニット１１０は該弾性ローラーＦＰ１１の支持により該輸送部１００から出力された後の移動方向が変わり、該弾性ローラーＦＰ１１がさらにその軸心両端に設置された伸縮制御部材ＦＰ３１により押圧方向（下へ）押圧する力を制御して、下方の該支持部材ＦＰ２１と組み合わせる。そのうち、該弾性ローラーＦＰ１１は一部の状況下で該輸送部１００の一部と見なすこともでき、該弾性ローラーＦＰ１１は固有の機能を備えているほか、さらに追加で該押圧手段ＦＰの機能を同時に達成することもできる。さらに、この態様におけるその１つの押圧ユニットは該第１ローラー１０３と該伸縮制御部材ＦＰ３１の組み合わせとし、該弾性ローラーＦＰ１１を必要とせず、もう１つの押圧ユニットは同じく該支持部材ＦＰ２１とすることもできる。該第１ローラー１０３は本来輸送と格納の用途を備えた部材であり、かつ追加で該押圧手段ＦＰの機能達成に用いられる。
【００３９】
続いて図９の本発明の収集密封装置中の押圧手段の第５態様を示す概略図を参照する。該押圧手段の第５態様において、２つの押圧ユニットはいずれも固有の機能を具備するほか、同時に追加で該押圧手段ＦＰの機能を達成する部材を提供する。該押圧手段ＦＰはそれぞれ押圧ユニットとする弾性ローラーＦＰ１１（該第１ローラー１０３と同じく該輸送部１００に属する）と、底板ＦＰ４１が押圧力を提供する。該第１パッケージユニット１１０は該第１ローラー１０３上に巻回され、かつ該弾性ローラーＦＰ１１の支持により該第１ローラー１０３から出力された後の移動方向が変わる。該底板ＦＰ４１は該第２ローラー２０３から供給される該第２パッケージユニット２１０を積載し、同時に支持力を提供して該弾性ローラーＦＰ１１との組み合わせで該押圧力を提供する。図９に示す方向のとおり、該底板ＦＰ４１の左側端縁で、挟持部材４００（図示のとおり、例えばクリップなどの挟持固定装置とすることができる）により押圧された（該収集パッケージシートとなった）該第１パッケージユニット１１０と該第２パッケージユニット２１０を挟持し、該底板ＦＰ４１がさらに左側へ動かされたとき（引っ張られて該積載エリアＡの面の平面上に平行に移動）、同時に該第１パッケージユニット１１０と該第２パッケージユニット２１０を動かし、収集したい固体、液体、半固体またはその他物質を該収集パッケージシートの内部にパッケージすることができる。そのうち、該第２ローラー２０３の軸の両端は供給部２００の伸縮制御部材２３１に取り付け、第２パッケージユニット２１０が徐々に消耗されたとき、該第２ローラー２０３が設定された水平位置を維持できるようにする。該底板ＦＰ４１は本発明のその他の実施例と実施態様に適用することもできる。
【００４０】
続いて図１０の本発明の収集密封装置中の押圧手段の第６態様を示す概略図を参照する。該押圧手段の第６態様で、第５態様と異なるのは、該供給部２００が該第２ローラー２０３と位置決めローラー２０４を含み、動かされた後の該第２パッケージユニット２１０が該位置決めローラー２０４の支持により方向が変わり、該積載エリアＡに横架される点である。該位置決めローラー２０４の設置により、該積載エリアＡの該第２パッケージユニット２１０を水平かつ平坦に保ち、第２パッケージユニット２１０が使用に伴い第２ローラー２０３外側に巻回された半径が縮減したとき、該積載エリアＡ上の該第２パッケージユニット２１０に傾斜が生じることがない。
【実施例２】
【００４１】
続いて図１１の本発明の実施例２の収集密封装置の概略図を参照する。本発明の実施例２の収集密封装置は、輸送部１００と、積載部２０６と、該積載部２０６上に位置する積載エリアＡと、押圧手段ＦＰを含む。実施例２と実施例１の違いは、該第２パッケージユニット２１０を格納する部位にあり、該積載エリアＡの一側にあって該輸送部１００に相対する位置にあったものが、該積載エリアＡの下方に配置されている点であり、その他の部材はいずれも本発明の実施例１の各種変化を適用でき、また先に言及した底板ＦＰ４１を含むこともできる。
【００４２】
本発明の実施例２の収集密封装置において、該積載部２０６は重ねられた第２パッケージユニット２１０の格納に用いられる。該第２パッケージユニット２１０は該積載エリアＡに横架された後、該第２パッケージユニット２１０の上面が積載面となり、該積載面は同様に収集してパッケージしたい固体、液体、半固体またはその他物質を積載するために用いることができる。このほか、該積載部２０６は図１１に示すように、該積載部２０６のハウジング上部により該第２パッケージユニット２１０を支持することができる。また、図１０に示す底板ＦＰ４１を含んでもよく、底板は該輸送部１００下方から横へ延伸され、該積載エリアＡに横架されて該積載部２０６の上方に位置し、かつ同時に該第２パッケージユニット２１０に支持を提供するとともに、挟持部材の使用を組み合わせることができる。
【００４３】
続いて図１２の本発明の収集密封装置中の輸送部の第４態様を示す概略図を参照する。前述の本発明の実施例２の収集密封装置に基づき、輸送部１００の第４態様は該積載部２０６のハウジング上部で該輸送部１００に往復移動させ、同時に該輸送部１００の第１ローラー１０３と該積載部２０６のハウジング上部が同時にそれぞれ該押圧手段ＦＰの２つの押圧ユニットとなり、前述のように、本来その他固有の用途を具備した部材が同時に押圧機能を提供する。該積載部２０６の側縁にガイド装置が設置され、該ガイド装置は該積載部２０６の２つの側縁にそれぞれ設置された２つのガイド部ＦＰ５１を含む。そのうちガイド部ＦＰ５１は側面図の視角であるため１つしか見えない。
【００４４】
該第１ローラー１０３は該２つのガイド部ＦＰ５１上に取り付けられた配置関係により、該積載エリアＡの一側から、該第１ローラー１０３とガイド部ＦＰ５１間の構造の組み合わせを利用して移動可能な性質を備え（例えば機械構造上の可動式枢設またはボールの利用等の方式で達成できる）、他方の一側まで移動することができ、行って帰ってくる間で、該第１ローラー１０３を該積載エリアＡの両側に往復移動させることができる。同時に、該第１ローラー１０３が操作されて該積載エリアＡで往復移動するとき、使用者が加える下への力により、該支持部材とする該積載部の上部ハウジングとの間に押圧を形成し、該第１パッケージユニット１１０と該第２パッケージユニット２１０を押圧して接着させる該押圧力を形成することができる。このほか、該第１ローラー１０３の軸心両端にさらに前述した伸縮制御部材を設置し、該押圧力を増加することもできる。
【００４５】
そのうち、該第１ローラー１０３は１回の左から右へのストロークにより、該第１パッケージユニット１１０の粘着面と該第２パッケージユニット２１０の該上面を相互に接着でき、続いて該第１パッケージユニット１１０を切断し、すでに該第２パッケージユニット２１０と接着された部分の該第１パッケージユニット１１０を元の第１パッケージユニット１１０から離脱させることができる。さらに、複数回の該第１ローラー１０３の往復ストロークにより、該第１パッケージユニット１１０と該第２パッケージユニット２１０の接着程度を確保でき、最後に該第２パッケージユニット２１０を切断し、すでに該第１パッケージユニット１１０と接着された部分の該第２パッケージユニット２１０を元の第２パッケージユニット２１０から離脱させ、独立した１つの収集パッケージシートを形成することができる。このほか、該積載部２０６のハウジングの一部に属する積載ローラー２０７を通じ、該第２パッケージユニット２１０を該積載エリアＡまで円滑に引っ張り動かすことができる。
【００４６】
本実施例において、該第１パッケージユニット１１０の粘着面の相対する面上に離型フィルム層が設けられる。具体的には、該第１パッケージユニット１１０の粘着面は該第２パッケージユニット２１０の上面に対面しており、かつ該第１ローラー１０３が左から右へのストローク後該第２パッケージユニット２１０の上面と接着される。該第１パッケージユニット１１０の粘着面の相対する面上に該離型フィルム層が設けられているため、すでに該第２パッケージユニット２１０と接着された部分の該第１パッケージユニット１１０は該離型フィルム層の面が上に向いており、該第１ローラー１０３は該離型フィルム層上で往復移動してすでに接着された該第１パッケージユニット１１０と該第２パッケージユニット２１０に押圧効果を提供することができる。
【実施例３】
【００４７】
続いて図１３の本発明の実施例３の収集密封装置の概略図を参照する。本発明の実施例３はペット用の廃棄物収集密封容器である。該実施例において、収集密封装置による物体、液体またはその他物質の収集と密封の利便性により、使用者はペットの糞便、尿液またはその他物質の密封処理を迅速に完了でき、従来の方法のように、手や掃除用具を用いる、または洗浄する方法でペットの糞便、尿液またはその他物質を掃除する必要がなく、該収集密封装置を通じて、ペットの糞便、尿液またはその他物質を収集パッケージシートに完全に密封し、外部に異臭がしたり、漏れたりする状況が発生しにくい。加えて使用上便利で迅速に良好な掃除の効果を達成でき、同時にペットと飼い主に衛生的で清潔かつ快適な生活環境を提供することができる。このほか理解すべきは、このような収集密封装置は人の排泄物の片付けという応用分野にも適用できる点であり、医療における介護ベッド、在宅介護におけるトイレ椅子／便器椅子等にも適用することができる。
【００４８】
続いて同時に図１３と図１４を参照する。図１４は本発明の実施例３のローラーの配置関係を示す立体図である。供給部２００は第２パッケージユニット２１０を供給し、該第２パッケージユニット２１０はペットの糞便、尿液またはその他物質を積載する積載体となり、該第２パッケージユニット２１０が動かされて該積載エリアＡを越えると、該積載エリアＡに積載面が形成され、さらに輸送部１００が第１パッケージユニット１１０を供給し、押圧手段ＦＰが動かされた後の該第１パッケージユニット１１０及び該第２パッケージユニット２１０を受け取り、該第１パッケージユニット１１０の該粘着面が該第２パッケージユニット２１０の該上面に対面する。使用時は、ペットの排泄物または廃棄物の放置が完了し、ペットが収集密封装置を離れた後、該第１パッケージユニット１１０及び該第２パッケージユニット２１０を引っ張り動かして（手動または電動を問わない）、該押圧手段ＦＰが該第１パッケージユニット１１０の粘着面と該第２パッケージユニット２１０の該上面を相互に接着する押圧力を提供し、単一の収集パッケージシートが形成される。さらに切断部３００の操作を通じて、該単一の収集パッケージシートを切断し、元の該第１パッケージユニット１１０及び該第２パッケージユニット２１０から分離して、使用者は切断した収集パッケージシートを廃棄し、掃除の手順が完了する。このときペットの廃棄物収集密封容器内には再びきれいな第２パッケージユニット２１０が底部として配置される。
【００４９】
好ましくは、該第１パッケージユニット１１０の粘着面が全面（即ち該第１パッケージユニット１１０の側面全体）であり、使用者が動かす、または切断する該単一の収集パッケージシートの長さを任意に決定できるようにする。これにより、本実施例はペットの排泄物または廃棄物の該第２パッケージユニット２１０上における位置、またはペットの排泄物または廃棄物の量に応じて、該単一の収集パッケージシートの長さを変え、該第１パッケージユニット１１０と該第２パッケージユニット２１０の無駄を回避することができる。
【００５０】
切断部３００は本発明の各実施例に適用でき、収集密封装置内に固定することで、収集パッケージシートの切断に用いることができる。図１３に示す切断部３００は、輸送部１００の横に固定され、ナイフ部材及びガイドと施力操作部の組み合わせにより、ガイドを配置した経路上でナイフ部材を移動させて切断を行うことができ、一種の切断機構として配置される。このほか、本発明の実施例３のペット用廃棄物収集密封容器は、座体を備え、該座体が底部構造と側壁構造を含み、該側壁構造が積載エリアを定義し、輸送部が該側壁構造上に設置される。
【００５１】
続いて図１５の本発明の収集密封装置の切断部の別の態様を示す外略図を参照する。図１５は切断部がナイフ３００’の態様であり、該ナイフ３００’を下ろす動作を通じて該第１パッケージユニット１１０及び該第２パッケージユニット２１０を切断することができる。続いて図１６の本発明の収集密封装置の切断部のさらに別の態様を示す概略図を参照する。図１６は切断部が鋸歯状カッター３００”の態様であり、使用者が該第１パッケージユニット１１０及び該第２パッケージユニット２１０を引っ張る動作と力を通じて、該鋸歯状カッター３００”で該第１パッケージユニット１１０及び該第２パッケージユニット２１０を切断することができる。
【実施例４】
【００５２】
続いて図１７の本発明の実施例４の収集密封装置の概略図を参照する。本発明の実施例４はペット用の廃棄物収集密封容器であり、前述の収集密封装置を備えているほか、さらに座体４１０を備えている。図１７に示すように、ペット用の廃棄物収集密封容器は座体４１０内に設置された供給部２００と輸送部１００、押圧手段ＦＰを備え、該押圧手段ＦＰの後にさらに切断部３００を含む。該座体４１０は底部構造と側壁構造を含み、該側壁構造が積載エリアＡを定義し、該輸送部１００及び該供給部２００が該側壁構造上に設置される。図１１に示す該供給部２００が該積載エリアＡ下方に位置する実施例では、該輸送部１００のみが該側壁構造上に設置されている。
【実施例５】
【００５３】
続いて図１８の本発明の実施例５の収集密封装置の概略図を参照する。本発明の実施例５はペット用ベッドであり、前述の収集密封装置を備えているほか、さらに座体４１０及びハウジング４２０を備えている。図１８に示すように、ペット用ベッドは座体４１０内に設置された供給部２００と輸送部１００、押圧手段ＦＰを備え、該押圧手段ＦＰの後にさらに切断部３００を含む。ペット用ベッドは座体４１０の上方にハウジング４２０が設置されており、該ハウジング４２０と該座体４１０は取り外し可能な構造としてもよい。このため、該ハウジング４２０は取り外し可能に該座体４１０の側壁構造上に設置され、該ハウジング４１０は該座体４１０の底部構造から上に延伸されて該積載エリアＡに連通されたペットが活動できる内部空間を定義することができる。このほか、該ハウジング４２０の上部にさらに収容槽を設け、ペット関連用品またはその他物品うぃ便利に置けるようにしてもよい。取り外し可能な該ハウジング４２０は使用者が該第１パッケージユニット１１０及び該第２パッケージユニット２１０を引っ張り動かす方向を自ら決定させることができ、図１８には左へ動かす様子が示されているが、該座体４１０の方向を１８０度変えた後再び該ハウジング４２０を取り付ければ、該第１パッケージユニット１１０及び該第２パッケージユニット２１０を動かす方向を右へ動かすように変えることができ、フレキシブルな配置という利便性を備えている。
【実施例６】
【００５４】
続いて図１９の本発明の実施例６の収集密封装置の概略図を参照する。本発明の収集密封装置はテーブル面上の汚物や廃棄物の迅速な清掃設備として卓上収集設備とすることもできる。例えば、幼児または子供の歩行器のテーブル面またはその他子供が使用するテーブル設備等、本発明の収集密封装置の配置により、便利で迅速に、きれいに清掃する効果を達成することができる。図１９に示すように、このような配置により、輸送部１００及び供給部２００をテーブル上面より下に隠すことができ、第２パッケージユニット２１０が架け渡された積載エリアＡのみがテーブル上面上に露出され、かつテーブル上面の一側に収集パッケージを下に押圧する押圧手段ＦＰが形成され、収集パッケージシートをテーブル上面の下方に直接収集することができる。また、さらに切断部の配置により迅速な切断効果を達成することもできる。
【００５５】
続いて図２０の本発明の実施例６の収集密封装置の上部概略図を参照する。図２０に示す収集密封装置の配置方式は、１つの卓上収集設備のラック体５００の配置を通じ、既有のテーブル上に直接架設するか、或いは該ラック体５００をテーブル設備として直接組み立てることができる。該ラック体５００は該収集密封装置を被覆して固定することができ、図２０では積載エリアＡ及び該積載エリアＡに配置された第２パッケージユニット２１０のみが露出されている。該ラック体５００は該収集密封装置を設置する凹槽を備え（内部）、積載エリアＡが該凹槽上面の開口５０１に定義され、該凹槽上面及び上面周囲と該開口５０１内に露出された該第２パッケージユニット２１０の該積載面がテーブル卓上面を形成する。該収集密封装置の該第２パッケージユニット２１０は該ラック体５００の一側から出て延伸され、該凹槽上面に架け渡され（積載エリアＡの積載面を形成する）、さらに該ラック体５００の他側に没入されて、該第１パッケージユニット１１０と共に押圧部の作用下で収集パッケージシートを形成する。これにより、テーブル上面上に位置する該積載エリアＡ範囲内の区域に対して該被収集物の収集と後続の密封を行うことができる。
【００５６】
このほか、該ラック体５００は該収集密封装置を取り付けて該ラック体５００上に固定でき、該ラック体５００の底部には別のテーブル上に固定するために用いる固定部を設置することができ（例えばクリップの設置により該別のテーブルを挟持する）、該収集密封装置の上部の積載エリアをテーブル面とすることができる。これに基づき、作業台、幼児用テーブル（またはベビー、児童、各年齢層の子供用テーブル）、一般的なテーブル、手術台等、すべて本発明の収集密封装置を組み合わせた使用に適しており、テーブル面で使用する設備とすることで、利便性と迅速な掃除の機能を提供することができる。
【００５７】
このほか、上述の本発明のすべての実施例はさらに例えば乳児／幼児訓練用トイレ、患者／老人用医療便器、トイレ／便器椅子、便器付き介護ベッドマットレス等に応用でき、乳幼児、患者または老人の排泄物の収集密封パッケージに用いることで、迅速かつ便利に排泄物を密封し、無臭かつ衛生的な掃除の効果を達成することができる。さらに、本発明の実施例は看護・介護の用途において、検体を密封する作用も備えており、毎回の排泄物を個別に密封して単一のパッケージシートとするため、保存、記録、後続の追跡に有利であり、かつ従来の便器の掃除の不便さ、繰り返し使用による交差感染または検体汚染等の問題を回避することができる。
【００５８】
本発明の各実施例と実施態様において、該第１パッケージユニット１１０は展延性を持たないシート材とすることができるが、展延性を備えたシート材のほうが好ましい。該第１パッケージユニット１１０の粘着面と相対する面上に離型フィルム層を設け、第１パッケージユニット１１０が引っ張られて動かされるときの抵抗力を低くして、装置の円滑な動作を増進することが好ましい。
【００５９】
該第２パッケージユニット２１０は延展性を持たないシート材または延展性を備えたシート材とすることができるが、好ましくは吸水層と、漏れ防止層を重ね合わせて形成された複合シート体を含み、該吸水層が該第２パッケージユニット２１０の上部に配置され、該積載面として用いられ、収集したい物体、液体またはその他物質が該第２パッケージユニット２１０上に置かれたとき、該複合シート体が吸収または付着の効果を提供し、収集したい固体、液体、半固体またはその他物質を該第２パッケージユニット２１０上に定着させることができ、後続で第１パッケージユニット１１０により被覆され、該押圧手段ＦＰを通過するようにする。該第１パッケージユニット１１０及び該第２パッケージユニット２１０のうち少なくとも１つまたは両方を、例えばPEフィルム（ポリエチレン）、PVCフィルム（ポリ塩化ビニル）、LLDPEフィルム（直鎖状低密度ポリエチレン）等の展延性に富んだフィルム層とすることができ、該第２パッケージユニット２１０の該吸水層と該漏れ防止層はおむつに類似した層体構造を使用することができる。
【００６０】
本発明の各実施例の収集密封装置は、電動モーターの駆動方式を採用し、輸送部、供給部、さらには切断部を駆動して、手作業の移動や切断等の手順を省略することができる。モジュール化の電子設計により、簡単な制御（さらには遠隔制御）で収集密封装置に収集したい物体、液体またはその他物質の密封を完了させることができる。輸送部、供給部、さらに切断部の電力制御駆動は当該技術分野で一般的な電力制御及び駆動設備、ローラー等の直接流用と相互の組み合わせに過ぎないため、本文では説明を省略する。
【００６１】
図２１の本発明の収集密封装置のブロック図を参照する。収集密封装置は、輸送部１００と、供給部２００と、押圧部ＦＰを含む。輸送部１００はパッケージ面を備えた該第１パッケージユニットの格納に用いられる。供給部２００は第２パッケージユニットの格納に用いられ、該第２パッケージユニットが該供給部２００から引き出された後、一部の該第２パッケージユニットの上面が被積載物の収集に用いる積載面となる。押圧部ＦＰは押圧手段を提供し、該押圧部ＦＰが該第１パッケージユニット及び該第２パッケージユニットを受け取り、該押圧部ＦＰが該第１パッケージユニットの該パッケージ面と該第２パッケージユニットの該上面を相互に閉じ合わせる押圧力を提供する。
【００６２】
図２１の例は電力制御の実施態様を示しており、駆動モーター６１０が制御信号Ｓ１に基づき対応して該押圧部ＦＰを駆動し、該第１パッケージユニット及び該第２パッケージユニットを引き出させる。制御部６２０は該駆動モーター６１０に接続される。該制御部６２０はコマンドＳ２に基づいて該駆動モーター６１０を作動させ、該駆動モーター６１０を介して該押圧部ＦＰを駆動し（例：少なくとも１つの押圧ユニットを駆動する）、該第１パッケージユニット及び該第２パッケージユニットを引き出させる。そのうち、該コマンドＳ２は、外部操作コマンド（例：使用者が手動でオンにする）、検出結果コマンド（例：別途検出部を設置して積載エリアに収集したい物体がないか検出し、「ある」場合、該検出結果コマンドが該駆動モーター６１０を作動させる）、または定時コマンド（例：固定時間を設定し、該駆動モーター６１０を作動させる）とすることができ、これによりさらなる利便性を提供することができる。図２１は該押圧部ＦＰを電力制御する実施態様のみを例示しており、その他各部も電力制御を適用でき、図２１に示す例は電力制御の態様を限定しない。
【００６３】
上述をまとめると、本発明の実施例で示した収集密封装置の構成部材及び動作方式等の技術的特徴は、収集密封の手順を簡素化し、より迅速かつ効率的にすることができる。さらに、収集密封装置は使用者が収集密封したい範囲を決定し、該第１パッケージユニット及び該第２パッケージユニットを引き出す長さを決定できるため、パッケージユニットを節約する（一回に必ずしも積載エリア範囲全体のパッケージユニットを交換する必要がない）効果も達成でき、スマートライフにより多くの利益をもたらすことができる。
【００６４】
本発明は上述で最良の実施例を開示したが、当業者であれば理解できるように、この実施例は単に本発明を説明するために用いたのみであり、本発明の範囲を限定すると理解されるべきではない。注意すべきは、この実施例と同等効果を有する変化および置換はすべて、本発明の範疇内に含まれることである。このため、本発明の保護範囲は、特許請求の範囲の定義に準じる。
【符号の説明】
【００６５】
１００    輸送部
１０３    第１ローラー
１０４    位置決めローラー
１１０    第１パッケージユニット
２００    供給部
２０１    ハウジング
２０２    支持ユニット
２０３    第２ローラー
２０４    位置決めローラー
２０６    積載部
２０７    積載ローラー
２１０    第２パッケージユニット
２３１    供給部の伸縮制御部材
３００    切断部
４００    挟持部材
５００    ラック体
５０１    開口
６１０    駆動モーター
６２０    制御部
ＦＰ    押圧手段（押圧部）
ＦＰ１１    弾性ローラー
ＦＰ１２    第２弾性ローラー
ＦＰ２１    支持部材
ＦＰ３１    伸縮制御部材
ＦＰ４１    底板
ＦＰ５１    ガイド部
Ａ    積載エリア
Ｓ１    制御信号
Ｓ２    コマンド
【図１】
2019018922.tif 000003
【図２】
2019018922.tif 000004
【図３】
2019018922.tif 000005
【図４】
2019018922.tif 000006
【図５】
2019018922.tif 000007
【図６】
2019018922.tif 000008
【図７】
2019018922.tif 000009
【図８】
2019018922.tif 000010
【図９】
2019018922.tif 000011
【図１０】
2019018922.tif 000012
【図１１】
2019018922.tif 000013
【図１２】
2019018922.tif 000014
【図１３】
2019018922.tif 000015
【図１４】
2019018922.tif 000016
【図１５】
2019018922.tif 000017
【図１６】
2019018922.tif 000018
【図１７】
2019018922.tif 000019
【図１８】
2019018922.tif 000020
【図１９】
2019018922.tif 000021
【図２０】
2019018922.tif 000022
【図２１】
2019018922.tif 000023